(57)【要約】【課題】電極端子連結部の構造を改善することによって、電極シートと基板とが電気的に安定して接続されうるＰＤＰを提供すること。【解決手段】プラズマディスプレイパネルは、相互離隔されて実質的に平行に配置された一対の基板１０１、１０２と、一対の基板の間に配置され、放電を起こす空間の放電セル１８０を限定する隔壁１０５と電圧が印加される電極とが形成されている電極シート１１５と、電極シートの外側に配置され、電極と電気的に連結されたシート側端子部１３２ｃと、一対の基板のうち何れか一つの外側に配置され、シート側端子部と電気的に連結される基板側端子部１３２ａと、シート側端子部と基板側端子部との間に介在される電極連結部１３２ｂとを備える。【選択図】図２
2006332039.tif 000002
【特許請求の範囲】
【請求項１】
相互離隔されて実質的に平行に配置された一対の基板と、
前記一対の基板の間に配置され、放電を起こす空間の放電セルを限定する隔壁及び電圧が印加される電極が形成されている電極シートと、
前記電極シートの外側に配置され、前記電極と電気的に連結されたシート側端子部と、
前記一対の基板のうち何れか一つの外側に配置され、前記シート側端子部と電気的に連結される基板側端子部と、
前記シート側端子部と基板側端子部との間に介在される電極連結部と、を備えるプラズマディスプレイパネル。
【請求項２】
前記電極連結部は、断面積が一定であり、所定の長さを有するように設けられたことを特徴とする請求項１に記載のプラズマディスプレイパネル。
【請求項３】
前記電極連結部は、前記基板側端子部に形成された状態で前記シート側端子部と連結されることを特徴とする請求項１に記載のプラズマディスプレイパネル。
【請求項４】
前記電極連結部は、前記基板側端子部に接した部分の断面積より前記シート側端子部側の端部の断面積がさらに小さく設けられたことを特徴とする請求項３に記載のプラズマディスプレイパネル。
【請求項５】
前記放電セル内には、放電ガス及び蛍光体層が備えられたことを特徴とする請求項１に記載のプラズマディスプレイパネル。
【請求項６】
前記電極シートに形成されている電極は、共通電極及び走査電極を備えることを特徴とする請求項１に記載のプラズマディスプレイパネル。
【請求項７】
前記共通電極及び走査電極は、交互に延長されたことを特徴とする請求項６に記載のプラズマディスプレイパネル。
【請求項８】
前記電極シートまたは前記一対の基板のうち何れか一側の基板に配置され、
前記走査電極と交互に延長されたアドレス電極をさらに備えることを特徴とする請求項６に記載のプラズマディスプレイパネル。
【請求項９】
前記アドレス電極は、前記電極シート内で前記共通電極と前記走査電極との間に配置されたことを特徴とする請求項８に記載のプラズマディスプレイパネル。
【請求項１０】
前記アドレス電極は、放電セルを取り囲む部分と隣接した放電セルを取り囲む部分とを連結する部分を含み、全体的に鎖状に形成されたことを特徴とする請求項８に記載のプラズマディスプレイパネル。
【請求項１１】
前記アドレス電極は、梯形に形成され、それぞれの放電セルを取り囲むように配置されたことを特徴とする請求項８に記載のプラズマディスプレイパネル。
【請求項１２】
前記共通電極及び／または前記走査電極は、放電セルを取り囲む部分と隣接した放電セルを取り囲む部分とを連結する部分を含み、全体的に鎖状に形成されたことを特徴とする請求項６に記載のプラズマディスプレイパネル。
【請求項１３】
前記共通電極及び／または前記走査電極は、梯形に形成され、それぞれの放電セルを取り囲むように配置されたことを特徴とする請求項６に記載のプラズマディスプレイパネル。
【請求項１４】
前記シート側端子部は、前記共通電極と連結されるシート側共通電極端子部と前記走査電極と連結されるシート側走査電極端子部とを備え、
前記基板側端子部は、基板側共通電極端子部と基板側走査電極端子部とを備え、
前記シート側共通電極端子部と前記基板側共通電極端子部とが電気的に連結され、前記シート側走査電極端子部と前記基板側走査電極端子部とが電気的に連結され、
それぞれの共通電極端子部とそれぞれの走査電極端子部とが電気的に連結される部分には、少なくとも一部分以上に電極連結部が介在されることを特徴とする請求項６に記載のプラズマディスプレイパネル。
【請求項１５】
前記電極シートは、前記隔壁の少なくとも一部を覆うように配置された保護層をさらに備えることを特徴とする請求項１に記載のプラズマディスプレイパネル。
【請求項１６】
前記一対の基板のうち少なくとも何れか一つの基板には、前記電極シートで隔壁によって形成された空間と連通されるグルーブが形成されて、放電セルの体積を増加させることを特徴とする請求項１に記載のプラズマディスプレイパネル。
【請求項１７】
前記放電セルを限定する基板上のグルーブには、少なくとも一部分に蛍光体層が形成されたことを特徴とする請求項１４に記載のプラズマディスプレイパネル。
【請求項１８】
前記一対の基板のうち何れか一つの基板には、前記アドレス電極と連結される基板側アドレス電極端子部が配置されたことを特徴とする請求項８に記載のプラズマディスプレイパネル。
【請求項１９】
前記電極シートは、ＴＦＣＳ方式によって形成されたことを特徴とする請求項１に記載のプラズマディスプレイパネル。
【発明の詳細な説明】
【技術分野】
【０００１】
本発明は、プラズマディスプレイパネル（ＰＤＰ：Ｐｌａｓｍａ  Ｄｉｓｐｌａｙ  Ｐａｎｅｌ）に係り、さらに詳細には、電極端子連結部の構造を改善することによって電極シートと基板とが電気的に安定して接続されうるＰＤＰに関する。
【背景技術】
【０００２】
最近、ＰＤＰは、ガス放電現象を利用して画像を表示する平板ディスプレイパネルであって、薄型化が可能であり、かつ広視野角を有する高画質の大画面を具現できて注目されている。
【０００３】
このようなＰＤＰは、相互対向して離隔された第１基板及び第２基板を備え、放電を起こす空間である放電セル及び電圧が印加される電極を備えるが、このような電極の間に印加される直流または交流電圧によって、放電セル内で放電が発生し、放電ガスから放出される紫外線が蛍光体を励起させて可視光を発光させることによって画像を具現する。
【０００４】
また、ＰＤＰに備えられる電極は、アドレス放電を起こすアドレス電極と放電を維持させる維持電極とからなるが、このような電極は、信号伝達手段によってＰＤＰを駆動する電気的信号を発生させる駆動回路部と電気的に連結される。ここで、維持電極は、共通電極であるＸ電極、及びアドレス電極と共にアドレス放電を起こす走査電極であるＹ電極を備える。
【０００５】
また、このような電極は、順次に電極端子連結部、そして電極端子部を経由して信号伝達手段と電気的に連結される。
【０００６】
図１は、電極シート１５を備えたＰＤＰの電極端子連結部の連結状態を示す部分切開断面図である。
【０００７】
図１に示したように、電極端子連結部３０ａ，３０ｂは、それぞれ基板１２と電極シート１５との端部面に形成されうる。前記電極シート１５に形成されている電極端子連結部３０ｂは、基板１２に形成されている電極端子連結部３０ａと接触して電気的に連結される。前記基板１２に形成されている電極端子連結部３０ａの他端部は、電極に電気的に連結されて、電極に外部から電圧を印加させる。
【０００８】
ここで、前記基板１２と電極シート１５とは、それぞれ別々に製作された後に相互に組立てられ、このとき、基板１２は、その製造工程時、焼成過程を経つつ変形されて、図１に示したように曲がることがある。このような変形が発生すれば、電極シート１５と基板１２とを組立てる過程で、電極端子連結部３０ａ、３０ｂが相互接触できないか、または不安定に接触される恐れがあるという問題点がある。
【発明の開示】
【発明が解決しようとする課題】
【０００９】
本発明は、前記問題点を解決するためのものであって、電極端子連結部の構造を改善することによって、電極シートと基板とが電気的に安定して接続されうるＰＤＰを提供することを目的とする。
【００１０】
本発明のさらに他の目的は、電極端子連結部を同じ基板上に共に形成することによって、製造工程を単純化して製造コストを低減できるＰＤＰを提供することである。
【課題を解決するための手段】
【００１１】
前記本発明の目的は、相互離隔されて実質的に平行に配置された一対の基板と、前記一対の基板の間に配置され、放電を起こす空間の放電セルを限定する隔壁及び電圧が印加される電極が形成されている電極シートと、前記電極シートの外側に配置され、前記電極と電気的に連結されたシート側端子部と、前記一対の基板のうち何れか一つの外側に配置され、前記シート側端子部と電気的に連結される基板側端子部と、前記シート側端子部と基板側端子部との間に介在される電極連結部と、を備えるＰＤＰを提供することによって達成される。
【００１２】
ここで、前記電極連結部は、断面積が一定であり、所定の長さを有するように設けられたことが望ましい。
【００１３】
ここで、前記電極連結部は、前記基板側端子部に形成された状態で前記シート側端子部と連結されることが望ましい。
【００１４】
ここで、前記電極連結部は、前記基板側端子部に接した部分の断面積より前記シート側端子部側の端部の断面積がさらに小さく設けられたことが望ましい。
【００１５】
ここで、前記放電セル内には、放電ガス及び蛍光体層が備えられたことが望ましい。
【００１６】
ここで、前記電極シートに形成されている電極は、共通電極及び走査電極を備えることが望ましい。
【００１７】
ここで、前記共通電極と走査電極とは、交互に延長されたことが望ましい。
【００１８】
ここで、前記電極シートまたは前記一対の基板のうち何れか一側の基板に配置され、前記走査電極と交互に延長されたアドレス電極をさらに備えることが望ましい。
【００１９】
ここで、前記アドレス電極は、前記電極シート内で前記共通電極と前記走査電極との間に配置されたことが望ましい。
【００２０】
ここで、前記アドレス電極は、放電セルを取り囲む部分と隣接した放電セルを取り囲む部分とを連結する部分を含み、全体的に鎖状に形成されたことが望ましい。
【００２１】
ここで、前記アドレス電極は、梯形に形成され、それぞれの放電セルを取り囲むように配置されたことが望ましい。
【００２２】
ここで、前記共通電極及び／または前記走査電極は、放電セルを取り囲む部分と隣接した放電セルを取り囲む部分とを連結する部分を含み、全体的に鎖状に形成されたことが望ましい。
【００２３】
ここで、前記共通電極及び／または前記走査電極は、梯形に形成され、それぞれの放電セルを取り囲むように配置されたことが望ましい。
【００２４】
ここで、前記シート側端子部は、前記共通電極と連結するシート側共通電極端子部及び前記走査電極と連結されるシート側走査電極端子部を備え、前記基板側端子部は、基板側共通電極端子部と基板側走査電極端子部とを備え、前記シート側共通電極端子部と前記基板側共通電極端子部とが電気的に連結され、前記シート側走査電極端子部と前記基板側走査電極端子部とが電気的に連結され、それぞれの共通電極端子部とそれぞれの走査電極端子部とが電気的に連結される部分には、少なくとも一部分以上に電極連結部が介在されることが望ましい。
【００２５】
ここで、前記電極シートは、前記隔壁の少なくとも一部を覆うように配置された保護層をさらに備えたことが望ましい。
【００２６】
ここで、前記一対の基板のうち少なくとも何れか一つの基板には、前記電極シートで隔壁によって形成された空間と連通されるグルーブが形成されて、放電セルの滞積を増加させることが望ましい。
【００２７】
ここで、前記放電セルを限定する基板上のグルーブには、少なくとも一部分に蛍光体層が形成されたことが望ましい。
【００２８】
ここで、前記一対の基板のうち何れか一つの基板には、前記アドレス電極と連結される基板側アドレス電極端子部が配置されたことが望ましい。
【００２９】
ここで、前記電極シートは、ＴＦＣＳ（Ｔｈｉｃｋ  Ｆｉｌｍ  Ｃｅｒａｍｉｃ  Ｓｈｅｅｔ）方式によって形成されたことが望ましい。
【発明の効果】
【００３０】
本発明によれば、電極端子連結部の構造を改善することによって、電極シートと基板とが電気的に安定して接続されるＰＤＰが提供されうる。
【００３１】
また、本発明によれば、電極端子連結部を同じ基板上に共に形成することによって製造工程を単純化し、これにより、製造コストを低減したＰＤＰが提供されうる。
【発明を実施するための最良の形態】
【００３２】
以下、添付図面を参照して本発明の望ましい実施形態について詳細に説明する。
【００３３】
図２は、本発明の一実施形態によるＰＤＰの構成を示す部分切開斜視図であり、図３は、図２のＩＩＩ−ＩＩＩ線に沿って切り取った断面図であり、図４は、図２及び図３に示したＰＤＰに含まれた電極の構成を示す斜視図である。一方、図５は、電極端子部が接続される部分の構成をさらに詳細に示す断面図であり、図６は、端子部が接続される前の接続部分の構成の一例を示す断面図である。
【００３４】
図２及び図３に示したように、本発明の望ましい実施形態によるＰＤＰ１００は、第１基板１０１、このような第１基板１０１と相互対向して離隔された第２基板１０２、第１基板１０１と第２基板１０２との間に配置され、放電を起こす空間の放電セル１８０を区画する隔壁１０５及び電圧が印加される維持電極１０６、１０７が形成されている電極シート１１５、及びこのような電極シート１１５を第１基板１０１及び第２基板１０２に封着させる密封材１３０を備える。ここで、このような維持電極は、第１維持電極１０６及び第２維持電極１０７を備える。
【００３５】
前記のようなＰＤＰ１００は、電極シート１１５を中心として、その一面には第１基板１０１が配置されており、その他面には第２基板１０２が配置されている構造を有する。
【００３６】
この場合、前記放電セル１８０と対向する第１基板１０１の一面には、第１グルーブ１０１ａが形成されており、第２基板１０２の一面には、第２グルーブ１０２ａが示されている。このような第１及び第２グルーブ１０１ａ、１０２ａは、放電が起きる空間の放電セルの体積を増加させる役割を行う。なお、図面には、円形の断面を有するように示されているが、本発明での放電セルの形状は、円柱状に限定されず、それにより、グルーブの形状も示されたものに限定されない。
【００３７】
前記第１及び第２グルーブ１０１ａ、１０２ａは、所定の深さに形成されている。したがって、放電セルの前方に位置する前記第１グルーブ１０１ａによって第１基板１０１の厚さが薄くなり、第１基板１０１を通じて外部に放出される可視光の透過率が向上する。
【００３８】
また、このような第１及び第２グルーブ１０１ａ、１０２ａ内には、それぞれ赤色、緑色、青色の発光蛍光体層１１０ａ、１１０ｂが所定の厚さに塗布されている。しかし、本発明は、これに限定されず、このような蛍光体層１１０ａ、１１０ｂは、放電セル１８０内の他の多様な位置に形成されうる。
【００３９】
前記蛍光体層１１０ａ、１１０ｂは、前記放電セル１８０の壁面の少なくとも一部分を覆うように形成され、紫外線によって励起されて可視光線を発生させるＰＬ（Ｐｈｏｔｏ  Ｌｕｍｉｎｅｓｃｅｎｃｅ）型蛍光体で形成される。前記蛍光体層１１０ａ、１１０ｂに使われる物質としては、赤色発光蛍光体としては、（Ｙ，Ｇｄ）ＢＯ３：Ｅｕ３＋があり、緑色発光蛍光体としてＺｎ２Ｓｉ０４：Ｍｎ２＋があり、青色発光蛍光体としてＢａＭｇＡｌ１０Ｏ１７：Ｅｕ２＋がありうる。
【００４０】
なお、添付図面には、第１基板１０１及び第２基板１０２に何れもグルーブ１０１ａ、１０２ａが形成されており、このようなグルーブ１０１ａ、１０２ａに何れも蛍光体層１１０ａ，１１０ｂが塗布されていると示されているが、本発明は、これに限定されず、このようなグルーブ１０１ａ，１０２ａは、第１基板１０１及び第２基板１０２のうち何れか一つの基板にのみ形成されてもよく、蛍光体層１１０ａ，１１０ｂもこれらのグルーブ１０１ａ，１０２ａのうち何れか一側のグルーブにのみ塗布されてもよい。
【００４１】
前記電極シート１１５は、ＴＦＣＳ方式によって形成されたことが望ましいが、これに限定されず、これ以外に他の多様な方法で形成されてもよい。ここで、ＴＦＣＳ方式とは、セラミック基板に順次に電極グリッド層、誘電体層を印刷工程で反復して形成し、放電セルを形成する空間をシート全体に対して一括的に穿孔して形成することを称す。この過程で、必要に応じて、発泡工程や乾燥工程、焼成工程が追加され、既存の工程に比べて工程が簡単になるという長所がある。
【００４２】
図２ないし図４に示したように、前記電極シート１１５には、維持放電のための電極である第１維持電極１０６及び第２維持電極１０７が形成されており、前記第２維持電極１０７とそれぞれ電気的に連結される少なくとも一つのシート側端子部１３２ｃが形成される。図面には、第２維持電極１０７と連結されたシート側端子部のみが示されているが、第１維持電極１０６と電気的に連結されたシート側端子部も共に設置されうる。前記第１維持電極１０６と電気的に連結されたシート側端子部の位置は、第１基板１０１側に近い図面の上側であり、図面に示さないパネルの逆方向に配置されてもよい。すなわち、第１維持電極１０６に連結されたシート側端子部と第２維持電極１０７に連結されたシート側端子部とがそれぞれＰＤＰの左右側に向かって配置されるか、または両者とも左右側のうち一側に配置されてもよい。
【００４３】
以下では、図面に示したように、第２維持電極１０７と連結されたシート側端子部１３２ｃが第１維持電極１０６と連結されたシート側端子部と異なる側に配置された場合について説明する。
【００４４】
前記シート側端子部１３２ｃは、放電セル１８０が配置される一方向に沿って電極１０６の一端部から延びることが望ましい。すなわち、複数のシート側端子部１３２ｃは、放電セル１８０が配置される一方向に沿って実質的に相互平行に配置される。しかし、本発明は、これに限定されず、このようなシート側端子部１３２ｃは、他の多様な位置に他の多様な形態に配置されうる。
【００４５】
前記第２基板１０２には、第２維持電極１０７と電気的に連結される少なくとも一つの基板側端子部１３２ａが形成され、前記基板側端子部１３２ａは、前記シート側端子部１３２ｃと電気的に相互接続される。
【００４６】
電極シート１１５には、第１及び第２維持電極１０６、１０７とシート側端子部とを一括的に形成し、第１基板１０１及び／または第２基板１０２には、基板側端子部を別途に形成した後、これらのシート側端子部１３２ｃ及び基板側端子部１３２ａを相互整列して電気的に接続させる。このような構成を有する電極シートを使用することによって、ＰＤＰの製造工程を単純化しうる。
【００４７】
シート側端子部と基板側端子部とが接する部分の構成は、図５及び図６によく示されている。
【００４８】
図５に示したように、前記シート側端子部１３２ｃと前記基板側端子部１３２ａとの間には、所定の長さを有する電極連結部１３２ｂが介在される。前記電極連結部１３２ｂが形成されていて、図５に示したように、一側の基板が焼成過程で変形されて曲がった場合にも、シート側端子部と基板側端子部とを確実に接触して結合させうる。
【００４９】
前記電極連結部１３２ｂは、図６に示したように、前記基板側端子部１３２ａの上側に形成された所定の長さの突起状を有しうる。前記突起状は、円柱、探針など多様な形状を有し、特別に限定されていないが、図面に示したように、端部に行くほど直径が減少する探針の形態であることが望ましい。
【００５０】
前記電極連結部１３２ｂの端部は、密封材の焼成及び排気工程での高温によって一部が融け、前記電極端子部１３２ａ，１３２ｃの間の間隔が異なる場合にも、両端子を電気的に確実に連結させうる。
【００５１】
すなわち、図５に示したように、シート側端子部と基板側端子部との距離が近い所では、当該電極連結部１３２ｂが多く融けて長さが短くなり、シート側端子部と基板側端子部との距離が遠い所では、当該電極連結部が少し融けるか、あるいはほとんど融けなくて、長さが長い状態を維持しつつ、シート側端子部と基板側端子部とを電気的に連結させうる。
【００５２】
一方、図２ないし図４に示したように、シート側端子部１３２ｃは、ベース部１３２ｃ１及び端子接続部１３２ｃ２を備えうる。前記端子接続部１３２ｃ２は、前記ベース部１３２ｃ１の端部側に配置されて、基板側端子部１３２ａ上に形成された電極連結部１３２ｂと接する。前記端子接続部１３２ｃ２が図面のように基板側端子部１３２ａ側に向かって配置された場合、シート側端子部１３２ｃは、基板側端子部１３２ａとさらに安定的に電気的な接続を維持しうる。
【００５３】
前記電極シート１１５には、シート側端子部１３２ｃが覆われるようにダミー部１１６が形成され、シート側端子部１３２ｃに備えられた端子接続部１３２ｃ２は、ダミー部１１６の基板側端子部１３２ａに向かった面上に露出されていることが望ましい。
【００５４】
すなわち、電極シート１１５のダミー部１１６は、シート側端子部１３２ｃを覆って保護することによって、外部衝撃によってシート側端子部１３２ｃが損傷されることを防止しうる。ここで、このようなダミー部１１６は、誘電体であることが望ましいが、本発明は、これに限定されていない。シート側端子部１３２ｃの一端部に形成されている端子接続部１３２ｃ２は、ダミー部１１６外に露出されて基板側端子部１３２ａと密着されることによって、これらの両者１３２ｃ、１３２ａの間に電気的接続をさらに確実にすることもできる。
【００５５】
前記電極シート１１５と各基板１０１、１０２との間には、密封材１３０が配置されている。すなわち、密封材１３０ａ、１３０ｂは、電極シート１１５と第１基板１０１との間及び電極シート１１５と第２基板１０２との間に配置されている。さらに具体的には、このような密封材１３０は、各基板１０１、１０２のエッジに沿って閉曲線をなすように配置されている。ここで、閉曲線とは、一曲線上で、一点が一方向にのみ動くとき、出発点に戻る曲線を意味し、自閉線ともいう。また、ここで、閉曲線とは、曲線だけでなく、直線または直線と曲線とが連結された形態を何れも含む拡張された概念と定義される。
【００５６】
これにより、電極シート１１５と各基板１０１，１０２との間の機密性、すなわち、ＰＤＰ１００の内部空間の機密性を維持して、放電ガスがＰＤＰ１００の外部に流出されることを防止しうる。
【００５７】
また、基板側端子部１３２ａは、第２基板１０２上に形成され、ストライプ状を有するように示されているが、本発明は、これに限定されず、シート側端子部１３２ｃの端部、すなわち、端子接続部１３２ｃ２の形状によってそれに相応する多様な形状に形成されうる。もちろん、基板側端子部１３２ａは、第２基板１０２上でシート側端子部１３２ｃの端部、すなわち、端子接続部１３２ｃ２に対応する位置に形成されたことが望ましい。
【００５８】
図示されていないが、第１維持電極１０６に対するシート側端子部と基板側端子部との構造及び作用も、第２維持電極１０７の場合と大同小異であるので、ここでは、これについての詳細な説明は省略する。
【００５９】
一方、前記放電セル１８０内には、放電ガスが備えられている。前記放電ガスは、Ｘｅガスを含むＮｅ、Ｈｅ、またはＡｒのうち何れか一つまたはこれらのうち二つ以上の混合ガスからなりうる。
【００６０】
本実施形態による隔壁内に電極が内蔵された方式のＰＤＰ１００において、電極シート１１５に形成されている電極は、隔壁１０５内で放電セル１８０を取り囲むように配置され、相互離隔されている少なくとも一つの第１維持電極１０６及び少なくとも一つの第２維持電極１０７を備えることが望ましい。ここで、第１維持電極１０６は共通電極であり、第２維持電極１０７は走査電極である。
【００６１】
さらに具体的には、第１維持電極１０６は、隔壁１０５内で一方向に配置された放電セル１８０を取り囲みつつ延び、第２維持電極１０７は、隔壁１０５内で一方向に配置された放電セル１８０を取り囲みつつ延びる。
【００６２】
また、このような維持電極１０６、１０７は、隔壁１０５内に配置されるので、放電セル１８０から放出される可視光の透過を妨害しない。したがって、このような維持電極１０６、１０７は、透明なＩＴＯ（Ｉｎｄｉｕｍ  Ｔｉｎ  Ｏｘｉｄｅ）電極で形成される必要がなく、コストが低く、かつ電気伝導度が良いＡｇ、Ｃｕ、Ｃｒで形成されうる。これにより、ＩＴＯ電極による画面の不均一と製造コストの上昇とを防止しうる。
【００６３】
添付図面には、本実施形態によるＰＤＰ１００に隔壁内に電極が含まれた形態にのみ示されているが、本発明は、これに限定されず、本発明によるＰＤＰには、３電極面放電方式など、他の多様な方式が適用されうる。
【００６４】
また、図２、図４及び図５には、三つの微細電極がグループをなして一つの第１維持電極１０６または一つの第２維持電極１０７を構成すると示されているが、本発明は、これに限定されず、２つまたは４つ以上の微細電極がグループをなしてそれぞれ一つずつの維持電極１０６、１０７を構成することもできる。
【００６５】
これにより、製造工程上、各維持電極１０６、１０７の厚さを厚く形成し難いという問題点を解決できるところ、すなわち、複数の微細電極を積層構造として形成し、これらの微細電極が相互連結されるように構成することによって、各維持電極１０６、１０７の全体的な厚さを厚くする効果が得られる。しかし、本発明は、これに限定されず、このような維持電極１０６、１０７は、それぞれ単一電極からなってもよい。
【００６６】
前記第１維持電極１０６は、一方向に延び、第２維持電極１０７は、第１維持電極１０６が延びる方向と交互に延びうる。この場合、このような二つの電極１０６、１０７の間に電圧を印加することによって、放電が開始される放電セル１８０を選択できるため、後述するアドレス電極が不要になる。
【００６７】
または、第１維持電極１０６及び第２維持電極１０７は、実質的に相互平行に延び、電極シート１１５には、このような第１維持電極１０６及び第２維持電極１０７が延びる方向と交互に延びたアドレス電極１０３がさらに配置されうる。前記アドレス電極１０３は、それぞれの放電セル１８０を取り囲みつつ延びることが望ましい。
【００６８】
図２ないし図４に示したように、第１基板１０１から第２基板１０２に向かった方向に第１維持電極１０６、アドレス電極１０３及び第２維持電極１０７が順次に配置されうる。前記アドレス電極１０３は、第１維持電極１０６と第２維持電極１０７との間の維持放電をさらに容易にするためのアドレス放電を起こすためのものであって、さらに具体的には、維持放電が開始される電圧を下げる役割を行う。
【００６９】
走査電極とアドレス電極との距離が近いほど、アドレス電圧が降下するところ、本実施形態では、アドレス放電は、第２維持電極１０７とアドレス電極１０３との間で発生する。しかし、本発明は、これに限定されず、図示されていないが、第１基板１０１から第２基板１０２に向かって第１維持電極１０６、第２維持電極１０７及びアドレス電極１０３順に配置され、このとき、走査電極の機能を行う第２維持電極１０７がアドレス電極１０３とさらに近く配置されることが望ましい。
【００７０】
このような第１維持電極１０６、第２維持電極１０７及びアドレス電極１０３は、隔壁１０５に内蔵されているので、可視光の透過率を低下させない。したがって、透明電極の代りに、Ａｌ、Ｃｕのような導電性の金属で形成されて、長手方向への電圧降下が小さく、これにより、安定した信号伝達が可能になる。
【００７１】
一方、図示されていないが、前記電極シート１１５には、アドレス放電のためのアドレス電極１０３と電気的に連結されるシート側アドレス電極端子部（図示せず）とが形成されたことが望ましい。すなわち、電極シート１１５にアドレス電極１０３及びシート側アドレス電極端子部を一括的に形成することによって、製造工程を単純化しうる。また、前記シート側アドレス電極端子部に対応して第１基板または第２基板に基板側アドレス電極端子部が形成されている。それにより、前記シート側アドレス電極端子部と基板側アドレス電極端子部とが電気的に連結されて、アドレス電極に外部から電圧を印加可能にする。このときにも、シート側アドレス電極端子部と基板側アドレス電極端子部との間に電極連結部（図示せず）が配置されて、二つの端子間の電気的な連結を確実にできる。
【００７２】
前記ダミー部１１６は、シート側走査電極端子部１３２ｃだけでなく、シート側アドレス電極端子部を覆うこともできる。すなわち、電極シート１１５のダミー部１１６は、シート側アドレス電極端子部を覆って保護することによって、外部衝撃によってこれらの端子部が損傷されることを防止しうる。
【００７３】
また、このようなアドレス電極１０３の配置によって、アドレス電極１０３と走査電極の第２維持電極１０７とを利用して放電が起きる放電セルを選択することが可能になる。  前記電極シート１１５は、隔壁１０５の少なくとも一部を覆うように配置された保護層１０９をさらに備えたことが望ましいが、このような保護層１０９は、本発明の必須的な構成要素ではない。前記保護層１０９は、２次電子放出特性の良いＭｇＯを利用して蒸着などの方法によって配置されてもよく、耐久性の強い炭素ナノチューブ（ＣＮＴ：Ｃａｒｂｏｎ  Ｎａｎｏ  Ｔｕｂｅ）などの材料で形成されてもよい。
【００７４】
前記隔壁１０５は、Ｐｂ、Ｂ、Ｓｉ、Ａｌ、及びＯのような元素を含むガラス成分で形成され、必要に応じて、ＺｒＯ２、ＴｉＯ２、及びＡｌ２Ｏ３のようなフィラーとＣｒ、Ｃｕ、Ｃｏ、Ｆｅ、ＴｉＯ２のような顔料とがさらに含まれる誘電体で形成されてもよい。
【００７５】
前記隔壁１０５の構成物質として誘電体を使用すれば、隔壁１０５内に配置された維持電極１０６、１０７にパルス電圧が印加される場合、荷電粒子を誘導して放電に寄与する壁電荷を蓄積することによって、メモリ効果を通じた駆動を可能にし、このような維持電極１０６、１０７は、放電時に加速される荷電粒子との衝突によって損傷されることを防止する役割を行う。
【００７６】
一方、本発明によるＰＤＰが備える第１基板、電極シート及び第２基板の構成は、これに限定されず、これ以外に他の多様な形態の構成が可能である。
【００７７】
すなわち、放電のための維持電極１０６、１０７は、図２及び図３で、走査電極の機能を行う電極同士で相互隣接して配置され、スキャン電極の機能を行う電極同士で相互隣接して配置されていると示されているが、本発明は、これに限定されていない。このような維持電極１０６、１０７は、相互対向する隔壁１０５内で第１維持電極１０６と第２維持電極１０７とが交互に配置されてもよい。また、隔壁１０５が第１隔壁と第２隔壁とに分けられて形成され、第１隔壁内には第１維持電極１０６が配置され、第２隔壁内には第２維持電極１０７が配置される形態も可能である。
【００７８】
放電のための維持電極１０６、１０７は、一つの隔壁１０５に１つまたは２つが配置されうるだけでなく、一つの隔壁１０５に３つまたは４つ以上が配置されてもよい。
【００７９】
また、図２には、放電セル１８０が閉じた形状の横断面を有すると示されているが、本発明は、これに限定されず、これ以外に放電セル１８０の横断面は、ストライプ状に形成されてもよい。しかし、放電セル１８０の横断面が閉じた形状になっている場合には、放電のための維持電極１０６、１０７が隔壁１０５内に配置されて放電セル１８０を取り囲むように配置されうるので、立体放電を起こして放電量を増加させるという長所がある。
【００８０】
図４に示したように、本発明によるＰＤＰに配置される電極は、鎖状を有しうる。すなわち、電極は、放電セル１８０を取り囲む部分とそれぞれの放電セルを取り囲む部分とを電気的に連結する部分を含む鎖状を有しうる。もちろん、図４に示したものと違って、鎖状でない梯形状である場合にも、それぞれの放電セル１８０を取り囲みつつ、一方向に延びて配置され、梯形に電極が形成された場合も、本発明の範囲に属する。
【００８１】
前記のように構成された本発明の望ましい実施形態によるＰＤＰ１００が作動される過程を説明すれば、次の通りである。
【００８２】
まず、アドレス電極１０３と走査電極の第２維持電極１０７との間にアドレス電圧が印加されることによってアドレス放電が起き、このアドレス放電の結果から維持放電が起きる放電セル１８０が選択される。この場合、アドレス電圧は、外部の電源から印加されてＰＤＰ１００内でアドレス電極に対するシート側端子部（図示せず）を経由してアドレス電極１０３に印加される。
【００８３】
その後、前記のように選択された放電セル１８０の第１維持電極１０６と第２維持電極１０７との間に放電維持電圧が印加されれば、第１維持電極１０６と第２維持電極１０７とに留まっていた壁電荷の移動によって維持放電が起き、この維持放電時に励起された放電ガスのエネルギー準位が低くなりつつ、紫外線が放出される。この場合、放電維持電圧は、外部の電源から印加されてＰＤＰ１００内で順次に基板側端子部１３２ａ、電極連結部１３２ｂ、端子接続部１３２ｃ２、端子ベース部１３２ｃ１及び維持電極１０７に印加される。
【００８４】
そして、この紫外線が放電セル１８０内に塗布された蛍光体層１１０ａ、１１０ｂの蛍光体を励起させるが、この励起された蛍光体のエネルギー準位が低くなりつつ、可視光が放出され、この可視光が第１基板１０１を透過して外部に出射されつつ、ユーザが認識できる画像を形成する。
【００８５】
一方、以上の本発明の一実施形態についての説明においては、第２基板１０２に基板側走査電極端子部１３２ａが形成された場合のみを図示して説明したが、第１基板１０１にも基板側共通電極端子部（図示せず）が形成され、電極シート１１５には、シート側共通電極端子部（図示せず）が形成されて、前記基板側共通電極端子部と前記シート側共通電極端子部とが電気的に連結されうる。この場合にも、前記前記基板側共通電極端子部と前記シート側共通電極端子部との間に所定の長さを有する電極連結部（図示せず）が配置されて、二つの端子間の電気的な接続を確実にすることが望ましい。
【００８６】
また、このような配置は、前述したように、共通電極と走査電極との位置が変化されれば、これにより、その端子部の位置は、第１基板または第２基板に相互変化が可能であり、追加的にこれを図示化して説明せずとも、かかる変化が本発明の範囲に属するということは、当業者に当然の事項といえる。
【００８７】
本発明は、図面に示した実施形態を参照して説明されたが、これは、例示的なものに過ぎず、当業者ならば、これから多様な変形及び均等な他の実施形態が可能であるということが分かるであろう。したがって、本発明の真の技術的保護範囲は、特許請求の範囲の技術的思想によって決定されねばならない。
【産業上の利用可能性】
【００８８】
本発明は、ＰＤＰ関連の技術分野に適用可能である。
【図面の簡単な説明】
【００８９】
【図１】従来のＰＤＰの電極端子連結部を示す部分断面図である。
【図２】本発明の一実施形態によるＰＤＰの構成を示す部分切開斜視図である。
【図３】図２のＰＤＰが結合された状態で、ＩＩＩ−ＩＩＩ線に沿って切り取った断面図である。
【図４】図２及び図３に示したＰＤＰに含まれた電極の構成の一例を示す斜視図である。
【図５】図２及び図３に示したＰＤＰの電極端子連結部分を示す部分断面図である。
【図６】図５の電極端子連結部分の結合前の形状を示す部分断面図である。
【符号の説明】
【００９０】
１００        ＰＤＰ
１０１        第１基板
１０２        第２基板
１０１ａ、１０２ａ        グルーブ
１０３        アドレス電極
１０５        隔壁
１０６        第１維持電極
１０７        第２維持電極
１１０ａ、１１０ｂ        蛍光体層
１１５        電極シート
１１６        ダミー部
１８０        放電セル
１３０、１３０ａ、１３０ｂ        密封材
１３２ａ        基板側端子部
１３２ｂ        電極連結部
１３２ｃ        シート側端子部
１３２ｃ１        端子ベース部
１３２ｃ２        端子接続部
【図１】
2006332039.tif 000003
【図２】
2006332039.tif 000004
【図３】
2006332039.tif 000005
【図４】
2006332039.tif 000006
【図５】
2006332039.tif 000007
【図６】
2006332039.tif 000008